(57)【要約】【課題】書き換えた情報が表示されるまで待つ動作をなくすことができ、紙媒体書籍のように次々とページを捲って読み進めたり、前のページに戻って読み直したりしてリズミカルな読書が行え、さらに、書き換え操作を容易にすることのできる読書装置を提供する。【解決手段】表示メモリー性（bistable）のある表示媒体を駆動させることによって画像等の情報を書き換え表示できるドットマトリックス型表示方式の情報表示用パネル３枚で連続的に立体構成した回転式情報表示ボードと、この回転式情報表示ボードを回転して見たい情報が表示された表示面を観察できる位置に移動する回転駆動装置と、回転式情報表示ボードの回転方向に応じてページ送り方向またはページ戻し方向を判断し、判断した回転方向に従って、各情報表示用パネルに対して表示された情報を消去したり見たい情報を表示したりする書き換え信号を形成する書き換え判断手段、とから読書装置を構成する。【選択図】図１
2008310149.tif 000002
【特許請求の範囲】
【請求項１】
表示メモリー性（bistable）のある表示媒体を駆動させることによって画像等の情報を書き換え表示できるドットマトリックス型表示方式の情報表示用パネル３枚で連続的に立体構成した回転式情報表示ボードと、この回転式情報表示ボードを回転して見たい情報が表示された表示面を観察できる位置に移動する回転駆動装置と、回転式情報表示ボードの回転方向に応じてページ送り方向またはページ戻し方向を判断し、判断した回転方向に従って、各情報表示用パネルに対して表示された情報を消去したり見たい情報を表示したりする書き換え信号を形成する書き換え判断手段、とから構成したことを特徴とする読書装置。
【請求項２】
ページ送りスイッチとページ戻しスイッチを設け、ページ送りスイッチを作動させるとページ送り方向に回転式情報表示ボードが回転し、書き換え判断手段がページ送り方向の回転であることを判断し、その判断に従って情報表示用パネルのページ情報が書き換えられ、ページ戻しスイッチを作動させるとページ戻し方向に回転式情報表示ボードが回転し、書き換え判断手段がページ戻し方向の回転であることを判断し、その判断に従って情報表示用パネルのページ情報が書き換えられ、見たい情報が表示された情報表示用パネルが現れるよう構成したことを特徴とする請求項１に記載の読書装置。
【請求項３】
ページ送りスイッチおよびページ戻しスイッチを、指以外の身体部分でも別々に操作可能な程度離して設置し、指以外の身体部分を使ってページ送りスイッチまたはページ戻しスイッチを操作可能に構成したことを特徴とする請求項２に記載の読書装置。
【請求項４】
前記ページ送りスイッチおよびページ戻しスイッチを、読書装置本体とは離して設置して遠隔操作を可能に構成したことを特徴とする請求項３に記載の読書装置。
【請求項５】
書き換え判断手段を、ページ送り書き換え信号作動スイッチと、ページ戻り書き換え信号作動スイッチと、所定の位置においてページ送り書き換え信号作動スイッチおよび／またはページ戻り書き換え信号作動スイッチを押し込む書き換えスイッチ作動用押圧部材と、から構成したことを特徴とする請求項１〜４のいずれか１項に記載の読書装置。
【請求項６】
回転式情報表示ボードに、見たい（読みたい）情報コンテンツデータを外部から取り込み収納する記憶部（メモリー）、電池、表示媒体駆動装置が搭載されたことを特徴とする請求項１〜５のいずれか１項に記載の読書装置。
【発明の詳細な説明】
【技術分野】
【０００１】
本発明は、表示メモリー性（bistable）を有する情報表示用パネル３枚を連続的に立体構成した読書装置に関するものである。
【背景技術】
【０００２】
従来、情報表示用パネルを用いた電子書籍の一例として、表示媒体として液晶を用いた情報表示装置（液晶方式：例えば特許文献１参照）や、表示媒体として帯電粒子を用いた情報表示装置（電気泳動方式や電子粉流体方式）が知られている。
【０００３】
【特許文献１】特開平９−２６５４７０号公報
【０００４】
上述した従来の電子書籍では、いずれも、画面に表示させた情報に代わって別の情報を表示させる場合、同じ表示面を使って別の情報の表示を行っていた。つまり、表示させた情報を消去してから次に表示する別の情報を表示する（情報を書き換える）ことを行っていた。
【発明の開示】
【発明が解決しようとする課題】
【０００５】
そのため、上述した従来の電子書籍では、従来の紙媒体書籍でページを捲って読み進めるのとは異なり、次のページ画面に書き換える動作が感覚的に好まれなかった。また、画面に表示された情報の書き換えが終了するまで待つことになるが、その間、どうしても画面を見続けてしまう人間的習性のため、目が疲れるという問題があった。さらに、ページ書き換え動作中も画面を見続けていることになるため書き換えに要する時間を長く感じる場合もあり、紙媒体書籍の読書に慣れた人には、スピーディーでリズミカルな読書ができないという不都合もあった。さらにまた、書き換えスイッチは指を使って操作しなければならず、手がふさがっている場合や、手が不自由な人の場合には書き換え操作が難しかった。
【０００６】
本発明の目的は上述した問題点を解消して、書き換えた情報が表示されるまで待つ動作をなくすことができ、紙媒体書籍のように次々とページを捲って読み進めたり、前のページに戻って読み直したりしてリズミカルな読書が行え、さらに、書き換え操作を容易にすることのできる読書装置を提供しようとするものである。
【課題を解決するための手段】
【０００７】
本発明の読書装置は、表示メモリー性（bistable）のある表示媒体を駆動させることによって画像等の情報を書き換え表示できるドットマトリックス型表示方式の情報表示用パネル３枚で連続的に立体構成した回転式情報表示ボードと、この回転式情報表示ボードを回転して見たい情報が表示された表示面を観察できる位置に移動する回転駆動装置と、回転式情報表示ボードの回転方向に応じてページ送り方向またはページ戻し方向を判断し、判断した回転方向に従って、各情報表示用パネルに対して表示された情報を消去したり見たい情報を表示したりする書き換え信号を形成する書き換え判断手段、とから構成したことを特徴とするものである。
【０００８】
なお、本発明の読書装置の好適例としては、ページ送りスイッチとページ戻しスイッチを設け、ページ送りスイッチを作動させるとページ送り方向に回転式情報表示ボードが回転し、書き換え判断手段がページ送り方向の回転であることを判断し、その判断に従って情報表示用パネルのページ情報が書き換えられ、ページ戻しスイッチを作動させるとページ戻し方向に回転式情報表示ボードが回転し、書き換え判断手段がページ戻し方向の回転であることを判断し、その判断に従って情報表示用パネルのページ情報が書き換えられ、見たい情報が表示された情報表示用パネルが現れるよう構成したこと、ページ送りスイッチおよびページ戻しスイッチを、指以外の身体部分でも別々に操作可能な程度離して設置し、指以外の身体部分を使ってページ送りスイッチまたはページ戻しスイッチを操作可能に構成したこと、ページ送りスイッチおよびページ戻しスイッチを、読書装置本体とは離して設置して遠隔操作を可能に構成したこと、書き換え判断手段を、ページ送り書き換え信号作動スイッチと、ページ戻り書き換え信号作動スイッチと、所定の位置においてページ送り書き換え信号作動スイッチおよび／またはページ戻り書き換え信号作動スイッチを押し込む書き換えスイッチ作動用押圧部材と、から構成したこと、回転式情報表示ボードに、見たい（読みたい）情報コンテンツデータを外部から取り込み収納する記憶部（メモリー）、電池、表示媒体駆動装置が搭載されたこと、がある。
【発明の効果】
【０００９】
本発明によれば、表示メモリー性（bistable）のある表示媒体を駆動させることによって画像等の情報を書き換え表示できるドットマトリックス型表示方式の情報表示用パネル３枚で連続的に立体構成した回転式情報表示ボードと、この回転式情報表示ボードを回転して見たい情報が表示された表示面を観察できる位置に移動する回転駆動装置と、回転式情報表示ボードの回転方向に応じてページ送り方向またはページ戻し方向を判断し、判断した回転方向に従って、各情報表示用パネルに対して表示された情報を消去したり見たい情報を表示したりする書き換え信号を形成する書き換え判断手段、とから構成したことで、書き換えた情報が表示されるまで待つ動作をなくすことができ、紙媒体書籍のように次々とページを捲って読み進めたり、前のページに戻って読み直したりしてリズミカルな読書が行え、さらに、書き換え操作を容易にすることのできる読書装置を提供することができる。
【発明を実施するための最良の形態】
【００１０】
＜読書装置の構成について＞
図１（ａ）、（ｂ）はそれぞれ本発明の読書装置の一例を説明するための図であり、図１（ａ）はその正面図を、図１（ｂ）はその側面図をイメージ図として、それぞれ示している。図１（ａ）、（ｂ）に示す例において、読書装置１は、３つの表示部２−１〜２−３のそれぞれの周囲に筐体３−１〜３−３を設けて情報表示用パネル４−１〜４−３を構成し、情報表示用パネル４−１〜４−３を正面の位置１と側面の位置２及び位置３と３枚連続的に立体配置して、三角柱形状の回転式情報表示ボード５を形成している。なお、三角柱形状の回転式情報表示ボード５の上面および下面には、図示しない枠体を設けている。そして、本例では、位置１（観察側）に情報表示用パネル４−１が、位置２に情報表示用パネル４−２が、位置３に情報表示用パネル４−３が、配置された例を示しているが、各情報表示用パネル４−１〜４−３は回転式情報表示ボード５の回転により、位置１〜位置３のどの位置にも移動する。
【００１１】
また、三角柱形状の回転式情報表示ボード５の上面および下面を構成する図示しない枠体の中心に回転軸６を設けるとともに、回転軸６を読書装置本体７に回転自在に設けている。さらに、回転式情報表示ボード５を回転して見たい情報が表示された情報表示用パネル４−１〜４−３のいずれかの表示面を観察出来る位置に移動するために、回転軸６に装着した回転機構８および回転駆動用電源９を読書装置本体７に設けて、回転駆動装置を構成している。回転機構８は、図示しないベルト方式またはギア方式等のメカニカル機構を用いて、回転軸６を回転している。また、読書装置本体７の観察面側の下部両端には、回転駆動装置による回転式情報表示ボード５の回転方向を制御するための、ページ送りスイッチ１０およびページ戻しスイッチ１１を設けている。
【００１２】
さらにまた、情報表示用パネル４−１〜４−３の各々の両端部にページ送り書き換え信号作動スイッチ１２およびページ戻し書き換え信号作動スイッチ１３を設けるとともに、読書装置本体７の観察面に対し奥側の位置に、ページ送り書き換え信号作動スイッチ１２およびページ戻し書き換え信号作動スイッチ１３を押し込むための書き換えスイッチ作動用押圧部材１４を設けて、書き換え判断手段を構成している。書き換え判断手段は、回転式情報表示ボード５の回転方向に応じてページ送り方向またはページ戻し方向を判断し、判断した回転方向に従って、各情報表示用パネル４−１〜４−３に対して表示された情報を消去したり見たい情報を表示したりする書き換え信号を形成する。
【００１３】
また、回転式情報表示ボード５には、見たい（読みたい）情報コンテンツデータを外部から取り込み収納する記憶部（メモリー）１５、電池１６、表示媒体駆動装置１７が搭載されている。なお、図１（ｂ）に示す側面をイメージ図として示した図では、内部の状態がよくわかるように、読書装置本体７の一部と、回転式情報表示ボードの上面および下面を構成する枠体と、を省いて記載している。
【００１４】
＜読書装置の他の態様について＞
以下、図１（ａ）、（ｂ）に示した構成を有する読書装置の種々の態様について説明する。
【００１５】
図２（ａ）〜（ｅ）はそれぞれ本発明の読書装置の一実施例を説明するための図である。図２（ａ）〜（ｅ）に示す例では、いずれも、読書装置本体７に設けたページ送りスイッチ１０とページ戻しスイッチ１１とを、読書装置本体７の幅一杯に離して設けている。ここで、図２（ａ）、（ｂ）はいすれも回転軸を水平にした前後ページ捲り方式の例を示しており、図２（ａ）、（ｂ）に示す例ではともに、ページ送りスイッチ１０とページ戻しスイッチ１１とを、指以外の身体部分で操作しても間違って操作しないように十分に離して配置した例を示している。また、図２（ｃ）〜（ｅ）はいずれも回転軸を垂直にした左右ページ捲り方式の例を示しており、図２（ｃ）に示した例では、ページ送りスイッチ１０とページ戻しスイッチ１１とを観察面の右端上下に配置した例を、図２（ｄ）に示す例では、ページ送りスイッチ１０とページ戻しスイッチ１１とを観察面の左端上下に配置した例を、図２（ｅ）に示す例では、ページ送りスイッチ１０とページ戻しスイッチ１１とを観察面の右端上下に配置した例を、それぞれ示している。図２（ｃ）、図２（ｄ）、図２（ｅ）いずれに示す例でも、ページ送りスイッチ１０とページ戻しスイッチ１１とを、指以外の身体部分で操作しても間違って操作しないように十分に離して配置した例を示している。
【００１６】
図３（ａ）、（ｂ）および図４（ａ）、（ｂ）はそれぞれ本発明の読書装置の他の実施例を説明するための図である。図３（ａ）、（ｂ）に示す例では、図１（ａ）、（ｂ）に示した構成を有する読書装置１に加えて、ページ送りスイッチ２０とページ戻しスイッチ２１とを大きく離して設けた一体型ページ捲り用遠隔操作器２２を設けている。図３（ａ）に示す例では、読書装置１と一体型ページ捲り用遠隔操作器２２とをケーブル２３を用いた有線で接続した例を示している。また、図３（ｂ）に示す例では、読書装置１および一体型ページ捲り用遠隔操作器２２のそれぞれに図示しない送受信器を設け、読書装置１と一体型ページ捲り用遠隔操作器２２とを送受信機を用いた無線で接続した例を示している。図４（ａ）、（ｂ）に示す例では、図３（ａ）、（ｂ）に示す一体型ページ捲り用遠隔操作器２２の代わりに、ページ送りスイッチ２０を備える第１の遠隔操作器２４とページ戻しスイッチ２１を備える第２の遠隔操作器２５とを分離して構成した分離型ページ捲り用遠隔操作器２６を用いている。そして、読書装置１と分離型ページ捲り用遠隔操作器２６との間を、図４（ａ）に示す例では有線で、図４（ｂ）に示す例では無線で、それぞれ接続している。
【００１７】
図３（ａ）、（ｂ）に示す例では一体型ページ捲り用遠隔操作器２２を設けて、図４（ａ）、（ｂ）に示す例では分離型ページ捲り用遠隔操作器２６を設けて、書き換えスイッチを遠隔操作式とすることで、読書装置本体サイズに制約されることなく、ページ送りスイッチ２０とページ戻しスイッチ２１とを離して用いることができるので、指でない身体部分を使っての操作がより容易となる。また、ページ送りスイッチ２０とページ戻しスイッチ２１とが離れているので、指でない身体部分を使って操作しても誤動作させることなく確実に操作を行えるようになり、手がふさがっている場合や、手が不自由な人の場合にもページ捲り装置（書き換え操作）、言い換えればスイッチ操作を容易に行うことができる。
【００１８】
＜読書装置の書き換え動作における回転方向の判断について＞
図５（ａ）〜（ｃ）はそれぞれ本発明の読書装置における情報書き換え動作における回転方向の判断を説明するための図である。まず、図５（ａ）に示す例において、位置１（観察側）の情報表示用パネル４−１にｎページ目が表示され、位置２の情報表示用パネル４−２にｎ＋１ページ目が表示され、位置３の情報表示用パネル４−３にｎ−１ページ目が表示されている初期状態を考える。図５（ａ）に示す初期状態では、位置２の情報表示用パネル４−２のページ送り書き換え信号作動スイッチ１２および位置３の情報表示用パネル４−３のページ戻し書き換え信号作動スイッチ１３はともに押された状態となっている。
【００１９】
図５（ａ）に示す初期状態から図中回転軸６を中心として右回転すると、図５（ｂ）に示す状態となる。図５（ｂ）に示された状態では、位置２の情報表示用パネル４−２のページ送り書き換え信号作動スイッチ１２が押された状態から開放される一方、位置３の情報表示用パネル４−３のページ戻し書き換え信号作動スイッチ１３は押された状態のままである。この時点で書き換え判断手段は、図５（ｂ）に示す状態をページ送り方向の回転だと判断する。この判断に基づき、図５（ｂ）に示す状態において、位置３から位置２に移動する情報表示用パネル４−３のｎ−１ページ目の画面表示を、位置２から位置１に移動する情報表示用パネル４−２に表示されたｎ＋１ページ目の次のページすなわちｎ＋２ページ目に書き換える。一方、位置２から位置１に移動する情報表示用パネル４−２に表示されたｎ＋１ページ目はそのまま移動する。同時に、位置１から位置３に移動する情報表示用パネル４−１に表示され、読み終わったｎページ目もそのまま移動する。
【００２０】
図５（ａ）に示す初期状態から図中回転軸６を中心として左回転すると、図５（ｃ）に示す状態となる。図５（ｃ）に示された状態では、位置３の情報表示用パネル４−３のページ戻し書き換え信号作動スイッチ１３が押された状態から開放される一方、位置２の情報表示用パネル４−２のページ送り書き換え信号作動スイッチ１２は押された状態のままである。この時点で書き換え判断手段は、図５（ｃ）に示す状態をページ戻し方向の回転だと判断する。この判断に基づき、図５（ｃ）に示す状態において、位置２から位置３に移動する情報表示用パネル４−２のｎ＋１ページ目の画面表示を、位置３から位置１に移動する情報表示用パネル４−３に表示されたｎ−１ページ目の前のページすなわちｎ−２ページ目に書き換える。一方、位置３から位置１に移動する情報表示用パネル４−３に表示されたｎ−１ページ目はそのまま移動する。同時に、位置１から位置２に移動する情報表示用パネル４−１に表示され、読み終わったｎページ目もそのまま移動する。
【００２１】
＜読書装置の書き換え動作の具体例について＞
図６（ａ）〜（ｃ）から図８（ａ）〜（ｃ）はそれぞれ本発明の読書装置における情報書き換え動作の一例を説明するための図である。各図において、図６（ａ）、図７（ａ）、図８（ａ）はそれぞれ位置１（正面）における情報表示用パネルの表示状態を示し、図６（ｂ）、図７（ｂ）、図８（ｂ）はそれぞれ位置３から位置２に移動する過程における情報表示用パネルの表示状態を示し、図６（ｃ）、図７（ｃ）、図８（ｃ）はそれぞれ位置３における情報表示用パネルの表示状態を示している。
【００２２】
図６（ａ）〜（ｃ）に示すように、初期表示状態から左回転でページを送り捲りした表示状態では、図６（ａ）に示す位置１（観察側）における情報表示用パネル４−１の表示部２−１には第１ページ目の情報が表示され、図６（ｂ）に示す、読書装置本体７に隠れている位置２の情報表示用パネル４−２の表示部２−２には、位置３から位置２への回転が始まると同時に書き換え始め、書き換えを終了した第２ページ目の情報が表示され、図６（ｃ）に示す、読書装置本体７に隠れている位置３の情報表示用パネル４−３の表示部２−３は、初期状態の位置１（観察側）の表示（表紙）を残したまま、次の第３ページ目に書き換えるため待機している。
【００２３】
次に、図７（ａ）〜（ｃ）に示すように、図６（ａ）〜（ｃ）に示す表示状態からさらに左回転でページを送り捲りした表示状態では、図７（ａ）に示す位置１（観察側）に移動してきた情報表示用パネル４−２の表示部２−２には、すでに準備していた第２ページ目の情報がそのまま表示され、図７（ｂ）に示す、読書装置本体７に隠れている位置３から位置２に移動してきた情報表示用パネル４−３の表示部２−３には、位置２への回転が始まると同時に書き換えを始め、書き換えを終了した第３ページ目の情報が表示され、図７（ｃ）に示す、読書装置本体７に隠れている位置３に移動してきた情報表示用パネル４−１の表示部２−１は、図６（ａ）に示す表示を残したまま、次の第４ページ目に書き換えるため待機している。
【００２４】
さらに、図８（ａ）〜（ｃ）に示すように、図７（ａ）〜（ｃ）に示す表示状態からさらに左回転でページを送り捲りした表示状態では、図８（ａ）に示す位置１（正面）に移動してきた情報表示用パネル４−３の表示部２−３には、すでに準備していた第３ページ目の情報がそのまま表示され、図８（ｂ）に示す、読書装置本体７に隠れている位置３から位置２に移動してきた情報表示用パネル４−１の表示部２−１には、位置２への回転が始まると同時に書き換えを始め、書き換えを終了した第４ページ目の情報が表示され、図４（ｃ）に示す、読書装置本体７に隠れている位置３に移動してきた情報表示用パネル４−２の表示部２−２は、図７（ａ）に示す表示を残したまま、次の第５ページ目に書き換えるため待機している。
【００２５】
以上、図６（ａ）〜（ｃ）から図８（ａ）〜（ｃ）によりページ送りの際の書き換え動作を説明したが、逆方向に回転して行うページ戻しの際の書き換え動作も同様に行うことができる。
【００２６】
＜読書装置において用いる情報表示用パネルの説明＞
上述した例において、情報表示用パネルの表示部として好ましい構成は以下の通りである。まず、表示媒体としては、電界駆動可能な帯電粒子を気体中空間で駆動する方式や、電界駆動可能な帯電粒子を絶縁液体中で駆動する（電気泳動）方式や、半分ずつ帯電極性および色が異なる部分で構成した電界駆動可能な帯電粒子を絶縁液体とともにマイクロカプセル中で駆動（回転）する方式や、コレスティック型液晶方式、エレクトロクロミック方式、従来の液晶方式のものに適用できる。このうち、バイステイブル（bistable）な、すなわち、表示メモリー性があるドットマトリックス型表示方式のものとして、帯電粒子駆動方式（電子粉流体方式、電気泳動方式）やコレスティック型液晶方式、エレクトロクロミック方式が特に好ましく用いられる。帯電粒子駆動方式では、基板に導電材料で電極を対で設け、この対電極間に形成された電界によって表示媒体を駆動させて画像等の情報表示を書き換える。対電極は、ライン電極を互いに対向交差させて形成したり、個別電極を対向させて形成したりすることができる。表示面側とする透明基板に設ける電極は透明な導電材料を用いて形成する。
【００２７】
さらに、ライン電極で構成した対電極の場合にはパッシブ駆動方式を用い、個別電極で構成した対電極の場合にはアクティブ駆動方式を用いる。いずれの場合もドットマトリックス型情報表示用パネルとすることができる。基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系シートが用いられ表示面側基板にはこのうち透明なものを用いる。背面側基板は透明でなくてもよい。
【００２８】
次に、情報表示用パネルの表示メモリー性（bistable）を有する表示部の具体例として、帯電粒子（表示媒体）を気体中空間で駆動する方式の一例を、図９（ａ）、（ｂ）〜図１１（ａ）、（ｂ）それぞれを参照して説明する。
【００２９】
図９（ａ）、（ｂ）〜図１１（ａ）、（ｂ）に示した例では、少なくとも１種類以上の粒子からなり光学的反射率と帯電性とを有する粒子からなる表示媒体３３を透明基板３２と透明であることを要しない基板３１間の空間に封入し、それぞれの基板に設けた透明電極３６と透明であることを要しない電極３５とから形成する対電極間に電界を付与することで、表示媒体３３を移動させて画像等の情報表示を書き換えできるドットマトリックス型表示方式の情報表示用パネル４の表示部２の一部を示している。また、表示媒体３３を封入する基板３１、３２間の空間は、隔壁３４により複数のセル（小部屋）３７で仕切られている。これにより、封入した表示媒体３３が偏ることを防止できる。なお、表示媒体３３をマイクロカプセルに封止した場合には、このマイクロカプセルがセル（小部屋）の機能を有するので、さらにセル（小部屋）を設けなくても良い。
【００３０】
図９（ａ）、（ｂ）に示す例では、３つのセル３７を表示単位（１ドット）とし、それぞれのセル３７に、白色表示媒体３３Ｗと赤色表示媒体３３Ｒとの２色の組み合わせの表示媒体、白色表示媒体３３Ｗと緑色表示媒体３３Ｇとの２色の組み合わせの表示媒体、白色表示媒体３３Ｗと青色表示媒体３３ＢＬとの２色の組み合わせの表示媒体、を封入してカラードット表示している。図９（ａ）、（ｂ）に示す例とも観察者に対し赤色ドット表示を行っている。図９（ａ）と図９（ｂ）との相違点は、図９（ａ）に示す例では電極３５、３６をライン電極として構成しているのに対し、図９（ｂ）に示す例では電極３５、３６を個別電極として構成している点である。表示媒体の２色の組み合わせは上述した例に限定されるものではなく、例えば、それぞれのセルに黒赤２色、黒緑２色、黒青２色の組み合わせで表示媒体を封入した構成によってもカラードット表示することができる。
【００３１】
図１０（ａ）、（ｂ）に示す例では、３つのセル３７を表示単位（１ドット）とし、それぞれのセル３７に、三原色カラーフィルター４１Ｒ、４１Ｇ、４１ＢＬを配置し、白色表示媒体３３Ｗと黒色表示媒体３３Ｂの２色の表示媒体によってカラードット表示している。図１０（ａ）、（ｂ）とも観察者に対し青色ドット表示を行っている。図１０（ａ）と図１０（ｂ）との相違点は、図１０（ａ）に示す例では電極３５、３６をライン電極として構成しているのに対し、図１０（ｂ）に示す例では電極３５、３６を個別電極として構成している点である。他の構成として、４つのセル３７を表示単位（１ドット）とし、それぞれのセル３７に三原色カラーフィルターと無色のカラーフィルターとを配置し、白黒２色の表示媒体によってカラードット表示することもできる。
【００３２】
図１１（ａ）、（ｂ）に示す例では、３つのセル３７を表示単位（１ドット）とし、それぞれのセル３７に、白色表示媒体３３Ｗとマゼンタ色表示媒体３３Ｍとの２色の組み合わせの表示媒体、白色表示媒体３３Ｗとシアン色表示媒体３３Ｃとの２色の組み合わせの表示媒体、白色表示媒体３３Ｗとイエロー色表示媒体３３Ｙとの２色の組み合わせの表示媒体、を封入してカラードット表示している。図１１（ａ）、（ｂ）とも観察者に対しマゼンタ色ドット表示を行っている。図１１（ａ）と図１１（ｂ）との相違点は、図１１（ａ）に示す例では電極３５、３６をライン電極として構成しているのに対し、図１１（ｂ）に示す例では電極３５、３６を個別電極として構成している点である。
【００３３】
上記情報表示用パネルの表示部を構成する基板間空間は気体空間とした例を示したが、ここを絶縁液体空間とした構成でもbistable型の表示部を得られる。さらに、隔壁で形成したセル空間の代わりにマイクロカプセルで形成したセル空間に表示媒体を封入した構成とすることもできる。
【産業上の利用可能性】
【００３４】
本発明の読書装置は、電子書籍、電子マニュアル（取扱説明書）、電子新聞、電子ＰＯＰ（Point of Presence、Point of Purchase advertising）、電子広告、情報ボード、電子値札、電子棚札、電子楽譜などとして好適に利用することができる。特に快適に読書できる設置型の電子書籍として好ましく用いられる。画面サイズをＢ５〜Ｂ４、Ａ５〜Ａ３程度の大画面とすれば、大きな文字で表示された１ページ分の文字情報を１回の書き換えで見ることができ、読書をリズミカルに行える。
【図面の簡単な説明】
【００３５】
【図１】（ａ）、（ｂ）はそれぞれ本発明の読書装置の一例の構成を説明するための図である。
【図２】（ａ）〜（ｅ）はそれぞれ本発明の読書装置の一実施例を説明するための図である。
【図３】（ａ）、（ｂ）はそれぞれ本発明の読書装置の他の実施例を説明するための図である。
【図４】（ａ）、（ｂ）はそれぞれ本発明の読書装置のさらに他の実施例を説明するための図である。
【図５】（ａ）〜（ｃ）はそれぞれ本発明の読書装置における情報書き換え動作における回転方向の判断を説明するための図である。
【図６】（ａ）〜（ｃ）はそれぞれ本発明の読書装置における情報書き換え動作の一例を説明するための図である。
【図７】（ａ）〜（ｃ）はそれぞれ本発明の読書装置における情報書き換え動作の他の例を説明するための図である。
【図８】（ａ）〜（ｃ）はそれぞれ本発明の読書装置における情報書き換え動作のさらに他の例を説明するための図である。
【図９】（ａ）、（ｂ）はそれぞれ本発明に用いる情報表示用パネルの表示面の一具体例を説明するための図である。
【図１０】（ａ）、（ｂ）はそれぞれ本発明に用いる情報表示用パネルの表示面の他の具体例を説明するための図である。
【図１１】（ａ）、（ｂ）はそれぞれ本発明に用いる情報表示用パネルの表示面のさらに他の具体例を説明するための図である。
【符号の説明】
【００３６】
１  読書装置
２−１〜２−３  表示部
３−１〜３−３  筐体
４−１〜４−３  情報表示用パネル
５  回転式情報表示ボード
６  回転軸
７  読書装置本体
８  回転機構
９  回転駆動用電源
１０、２０  ページ送りスイッチ
１１、２１  ページ戻しスイッチ
１２  ページ送り書き換え信号作動スイッチ
１３  ページ戻し書き換え信号作動スイッチ
１４  書き換えスイッチ押圧部材
１５  データ記憶部
１６  電池
１７  表示媒体駆動装置
２２  一体型ページ捲り用遠隔操作器
２３  ケーブル
２４  第１の遠隔操作器
２５  第２の遠隔操作器
２６  分離型ページ捲り用遠隔操作器
３１、３２  基板
３３  表示媒体
３３Ｗ  白色表示媒体
３３Ｂ  黒色表示媒体
３３Ｒ  赤色表示媒体
３３Ｇ  緑色表示媒体
３３ＢＬ  青色表示媒体
３３Ｍ  マゼンタ色表示媒体
３３Ｃ  シアン色表示媒体
３３Ｙ  イエロー色表示媒体
３４  隔壁
３５、３６  電極
３７  セル
４１Ｒ  赤色カラーフィルター
４１Ｇ  緑色カラーフィルター
４１ＢＬ  青色カラーフィルター
【図１】
2008310149.tif 000003
【図２】
2008310149.tif 000004
【図３】
2008310149.tif 000005
【図４】
2008310149.tif 000006
【図５】
2008310149.tif 000007
【図６】
2008310149.tif 000008
【図７】
2008310149.tif 000009
【図８】
2008310149.tif 000010
【図９】
2008310149.tif 000011
【図１０】
2008310149.tif 000012
【図１１】
2008310149.tif 000013